【事件の表示】
　特願２００９−２８３６４９「内蔵光センサを有するディスプレイ・パネルの入力検出システム及び方法」拒絶査定不服審判事件〔平成２２年１０月２８日出願公開、特開２０１０−２４４５１７、請求項の数（１３）〕について、次のとおり審決する。
【結　論】
　原査定を取り消す。
　本願の発明は、特許すべきものとする。
【理　由】
第１　手続の経緯
　本願は、平成２１年１２月１５日（パリ条約による優先権主張２００９年４月８日、米国）を出願日とするものであって、平成２４年２月２４日付けで拒絶理由が通知され、平成２４年６月１日付けで手続補正がなされ、平成２４年１０月３０日付けで拒絶査定がなされ、これに対して、平成２５年３月５日に拒絶査定不服の審判が請求されるとともに手続補正がなされたものである。
　
第２　本願発明
　本願の特許請求の範囲の請求項１〜１３に係る発明（以下、「本願発明１」〜「本願発明１３」という。）は、平成２５年３月５日付け手続補正書の特許請求の範囲に記載された次のとおりのものと認める。
　
　「【請求項１】
　内蔵センサを有するディスプレイ領域への複数の光入力を識別する方法であって、
　視覚情報を表示する、画素内に内蔵センサを有するディスプレイ領域を設ける段階、
　前記ディスプレイ領域上の第１の位置へ光学的に送信された第１の入力を受信する段階、
　前記ディスプレイ領域上の第２の位置へ光学的に送信された第２の入力を受信する段階、
　第１の入力及び第２の入力のタイミングを識別するために前記第１の入力及び前記第２の入力を処理する段階、及び
　（１）該第１の入力及び該第２の入力の波長、（２）該第１の入力及び該第２の入力のフラッシュ又はパルス周波数、（３）該第１の入力及び該第２の入力の継続期間、（４）該第１の入力及び該第２の入力のタイミング、（５）該第１の入力及び該第２の入力の強度、（６）該第１の入力及び該第２の入力に関連付けられた変調方式、（７）該第１の入力及び該第２の入力の推定入力パターン、（８）該第１の入力及び該第２の入力の少なくとも一方の少なくとも１つの予測軌跡、のうちの少なくとも１つに基づき、前記第１の入力及び前記第２の入力が単一の発信元から又は複数の発信元から生じたのかを決定する段階、及び
　対応する入力のタイミングをそれぞれ有する第１の入力情報及び第２の入力情報を提供する段階、
　を有し、
　前記第１の入力及び前記第２の入力が単一の発信元から又は複数の発信元から生じたのかを決定する段階は、
　第１の発信元から、時間的に前記第１の入力に先行する複数の過去の入力を受信する段階、
　前記複数の過去の入力に基づき、第１の入力軌跡を計算する段階、及び
　該第１の入力軌跡に基づき、前記第１の入力又は前記第２の入力が前記第１の発信元から生じたかを決定する段階、
　を有する、方法。
　　【請求項２】
　前記第１の入力及び前記第２の入力が単一の発信元から又は複数の発信元から生じたのかを決定する段階は、
　前記第１の入力を生じた第１の発信元を決定する段階、
　該第１の発信元から、時間的に該第１の入力に先行する複数の過去の入力を受信する段階、
　前記第１の入力及び前記複数の過去の入力のうちの少なくとも１つに基づき、第１の入力軌跡を計算する段階、及び
　該第１の入力軌跡に基づき、前記第２の入力が前記第１の発信元から生じたかを決定する段階、
　を有する、
　ことを特徴とする請求項１記載の方法。
　　【請求項３】
　第２の発信元からの複数の過去の入力のうちの少なくとも２つに基づき、第２の入力軌跡を計算する段階、及び
　前記第１の入力軌跡及び前記第２の入力軌跡に基づき、前記第２の入力が該第１の入力軌跡又は該第２の入力軌跡の一部であるかを決定する段階、
　を有する請求項２記載の方法。
　　【請求項４】
　前記第１の入力軌跡を計算する段階は、推定軌跡を計算する段階を有し、
　前記第１の入力又は前記第２の入力が前記第１の発信元から生じたかを決定する段階は
、前記第１の入力及び前記第２の入力を前記推定軌跡と比較する段階を有する、
　ことを特徴とする請求項１に記載の方法。
　　【請求項５】
　前記第１の入力軌跡を計算する段階は、
　前記複数の過去の入力のうちの少なくとも２つ及び前記第１の入力に基づき、少なくとも２つのベクトルを識別する段階、及び
　前記少なくとも２つのベクトルの間の差を決定する段階、
　を有する、
　ことを特徴とする請求項１に記載の方法。
　　【請求項６】
　前記第２の入力は前記第１の入力軌跡の一部であるかを決定する段階は、
　（１）第１のユーザからの連続する入力の動向、（２）第１のユーザからの連続する入力の動向の方向、（３）前記第１の入力及び前記複数の過去の入力のうちの少なくとも１つに基づき、前記第１の入力軌跡の一部である入力の推定位置、のうちの１つを観測する段階、
　を有する、
　ことを特徴とする請求項３に記載の方法。
　　【請求項７】
　内蔵センサを有するディスプレイ領域への複数の光入力を識別するシステムであって、
　視覚情報を表示する、画素内に内蔵センサを有するディスプレイ領域、
　前記ディスプレイ領域上の第１の位置及び第２の位置へそれぞれ光学的に送信された第１の入力及び第２の入力を受信する入力検出部、及び
　プロセッサ、
　を有し、
　当該プロセッサは、
　前記第１の入力及び前記第２の入力のタイミングを識別し、
　（１）前記第１の入力及び前記第２の入力の波長、（２）該第１の入力及び該第２の入力のフラッシュ又はパルス周波数、（３）該第１の入力及び該第２の入力の継続期間、（４）該第１の入力及び該第２の入力のタイミング、（５）該第１の入力及び該第２の入力の強度、（６）該第１の入力及び該第２の入力に関連付けられた変調方式、（７）該第１の入力及び該第２の入力の推定入力パターン、（８）該第１の入力及び該第２の入力の少なくとも一方の少なくとも１つの予測軌跡、のうちの少なくとも１つに基づき、該第１の入力及び該第２の入力が単一の発信元から又は複数の発信元から生じたのかを決定し、及び
　対応する入力のタイミングをそれぞれ有する第１の入力情報及び第２の入力情報を提供し、
　前記第１の入力及び前記第２の入力が単一の発信元から又は複数の発信元から生じたのかを決定することは、
　第１の発信元から、時間的に前記第１の入力に先行する複数の過去の入力を受信し、
　前記複数の過去の入力に基づき、第１の入力軌跡を計算し、及び
　該第１の入力軌跡に基づき、前記第１の入力又は前記第２の入力が前記第１の発信元から生じたかを決定する、
　ことを有する、ことを特徴とするシステム。
　　【請求項８】
　前記第１の入力及び前記第２の入力のそれぞれは、可視光、赤外光及びレーザのうちの少なくとも１つを有する、
　ことを特徴とする請求項７に記載のシステム。
　　【請求項９】
　前記第１の入力及び前記第２の入力が単一の発信元から又は複数の発信元から生じたのかを決定することは、
　前記第１の入力を生じた第１の発信元を決定し、
　該第１の発信元から、時間的に該第１の入力に先行する複数の過去の入力を受信し、
　前記第１の入力及び前記複数の過去の入力のうちの少なくとも１つに基づき、第１の入力軌跡を計算し、及び
　該第１の入力軌跡に基づき、前記第２の入力が前記第１の発信元から生じたか否かを決定する、
　ことを有する、
　ことを特徴とする請求項７に記載のシステム。
　　【請求項１０】
　前記プロセッサは更に、
　第１の発信元からの複数の過去の入力のうちの少なくとも２つに基づき、第２の入力軌跡を計算し、及び
　前記第１の入力軌跡及び前記第２の入力軌跡に基づき、前記第２の入力が該第１の入力軌跡又は該第２の入力軌跡の一部であるかを決定する、
　ことを特徴とする請求項９に記載のシステム。
　　【請求項１１】
　前記第１の入力軌跡を計算することは、推定軌跡を計算することを有し、
　前記第１の入力又は前記第２の入力が前記第１の発信元から生じたかを決定することは、前記第１の入力及び前記第２の入力を前記推定軌跡と比較することを有する、
　ことを特徴とする請求項７に記載のシステム。
　　【請求項１２】
　前記第１の入力軌跡を計算することは、
　前記複数の過去の入力のうちの少なくとも２つ及び前記第１の入力に基づき、少なくとも２つのベクトルを識別し、及び
　前記少なくとも２つのベクトルの間の差を決定する、
　ことを有する、
　ことを特徴とする請求項７に記載のシステム。
　　【請求項１３】
　前記第２の入力は前記第１の入力軌跡の一部であるかを決定することは、
　（１）第１のユーザからの連続する入力の動向、（２）第１のユーザからの連続する入力の動向の方向、（３）前記第１の入力及び前記複数の過去の入力のうちの少なくとも１つに基づき、前記第１の入力軌跡の一部である入力の推定位置、のうちの１つを観測する、
　ことを有する、
　ことを特徴とする請求項１０に記載のシステム。」
　
第３　原査定の理由の概要
　この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　
　　　　　記　　　（引用文献等については引用文献等一覧参照）
　
・請求項　　　１−１５
・引用文献等　１，２
　
　　　　　　　　　　　引　用　文　献　等　一　覧
１．特開２００８−０９７１７２号公報
２．特開２００６−０３１５４９号公報
　
第４　当審の判断
１．本願発明７について
（１）引用例の記載事項
　引用例１（特開２００８−９７１７２号公報）には、図面とともに以下の事項が記載されている。
ａ）「【００２０】
  本発明の一側面の表示装置（例えば図１と図２の画像入出力装置１）は、
  画像の表示と受光とを同時又は交互に行う表示装置において、
  マトリクス状に配置された複数の表示素子（例えば図１の表示部１３）と、
  前記複数の表示素子に隣接して配置されて、表示面に入射した光の受光を行う複数の受光素子（例えば図１の受光部１４）と、
  前記受光素子で受光した受光信号に基づいて、前記表示面に接触又は近接する物体の状態を画像データとして生成する受光画像生成部（例えば図１の受光画像生成部１５）と、
  前記受光画像生成部で生成した前記画像データから、前記表示面に接触又は近接する前記物体（例えば図７以降の指ｆ１，ｆ２）に対応する領域をオブジェクトとして検出するオブジェクト検出部（例えば図１のオブジェクト検出部１６）と、
  前記オブジェクト検出部により検出された前記オブジェクトについての、位置関係、時間位置変化、および形状のうちの少なくとも１つに基づいて、操作者の指示を、所定のマウス指示として認識する指示認識部（例えば図１のコマンド認識／発行部１７）と、
  前記指示認識部により認識された前記所定のマウス指示に応じた所定の処理を実行する処理実行部（例えば図１の表示画像生成部１１や表示制御部１２）と
  を備える。
【００２１】
  前記オブジェクト検出部は、所定の一物体（例えば図７の指ｆ１）が前記表示面に接触又は近接しているときに前記受光画像生成部により生成された前記画像データ（例えば図８の左上部の受光画像に対応する画像データ）から、前記所定の一物体に対応するオブジェクト（例えば図８の左下部のオブジェクト１４１）を検出し、
  前記指示認識部は、前記所定の一物体に対応する前記オブジェクトが前記オブジェクト検出部により検出されたとき、前記所定のマウス指示は、前記所定の一物体の位置にポインタを表示させるというポインタ表示指示であると認識し、
  前記処理実行部は、前記指示認識部により認識された前記ポインタ表示指示に従って、前記表示面のうちの、前記所定の一物体に対応する前記オブジェクトの位置（例えば図８の左下部の位置Ｇ１）にポインタを表示させる表示制御処理を実行する（例えば図８の右部のように、指ｆ１の位置にポインタ１５１を表示させる）。
【００２２】
  前記受光画像生成部は、所定の時間間隔毎（例えばフィールドまたはフレーム周期で）、前記画像データを順次生成し（例えば動画データを構成するフィールドデータまたはフレームデータとして画像データを生成し）、
  前記オブジェクト検出部は、前記所定の一物体が前記表示面に接触又は近接している状態で移動している最中に（例えば図８の状態から図９の状態に指ｆ１が移動している最中に）前記受光画像生成部により連続的に順次生成される複数の画像データのそれぞれから、前記所定の一物体に対応する前記オブジェクトをそれぞれ検出し（例えば図８の左下部と図９の下部のそれぞれに示されるように、各オブジェクト１４１をそれぞれ検出し）、
  前記指示認識部は、前記複数の画像データのそれぞれから前記オブジェクトが前記オブジェクト検出部により検出される毎に、前記ポインタ表示指示であると繰り返し認識し、
  前記処理実行部は、前記指示認識部により前記ポインタ表示指示が繰り返し認識される毎に、前記表示制御処理を繰り返し実行することで、前記ポインタの表示位置を、前記所定の一物体の移動軌跡に沿って移動させる（例えば図８から図９に示されるように、ポインタ１５１を移動させる）。
【００２３】
  前記オブジェクト検出部は、第１の物体が前記表示面に接触又は近接した状態で第２の物体が前記表示面に接触または近接したときに（例えば図９の状態から図１０の状態に遷移したときに）前記受光画像生成部により生成された前記画像データから、前記第１の物体に対応する第１のオブジェクトと、前記第２の物体に対応する第２のオブジェクトを検出し（例えば図１１の左上部に示されるように、第1の指ｆ１に対応するオブジェクト１４１と、第２の指ｆ２に対応するオブジェクト１４２とを検出し）、
  前記指示認識部は、前記オブジェクト検出部により検出された前記第１のオブジェクトと前記第２のオブジェクトとを比較し、前記第２の物体は前記第１の物体とは違うものと認識することで、前記所定のマウス指示（例えば「クリック」による指示）を認識し、
  前記処理実行部は、前記指示認識部により認識された前記所定のマウス指示に従って、前記表示面の表示内容を更新する（例えば図１１や図１２に示されるように、ポインタ１５１が指し示すアイコン１５２を「選択済みの表示」にする）表示制御処理を実行する。
【００２４】
  前記オブジェクト検出部は、第１の物体が前記表示面に接触又は近接した状態で第２の物体が前記表示面に接触または近接したときに（例えば図１３の状態になったとき）前記受光画像生成部により生成された前記画像データから、前記第１の物体に対応する第１のオブジェクトと、前記第２の物体に対応する第２のオブジェクトを検出し（例えば図１３の左下部に示されるように、第1の指ｆ１に対応するオブジェクト１４１と、第２の指ｆ２に対応するオブジェクト１４２とを検出し）、
  前記指示認識部は、前記オブジェクト検出部により検出された前記第１のオブジェクトと前記第２のオブジェクトとの位置関係（例えば図１３のオブジェクト１４１の位置Ｇ１とオブジェクト１４２の位置Ｇ２との位置関係）に基づいて、前記所定のマウス指示とは、２以上のマウス指示のうちの何れのマウス指示であるのかを認識し、
  前記処理実行部は、前記指示認識部により認識されたマウス指示に従って、前記表示面の表示内容を更新する（例えば図１３の例では、第１の指ｆ１の位置にあるアイコン１５２のコンテキストメニュー１５３を表示する）表示制御処理を実行する。」（【００２０】〜【００２４】の記載。下線は当審で付与。以下、同様。）
　
ｂ）「【００３０】
  図１の
情報処理システムは、
画像入出力装置１と、情報処理装置２とから構成され
【００３１】
  
画像入出力装置１は、自身が生成した画像データや、情報処理装置２から入力された画像データを、操作者に認識可能な画像として表示することができ
また、画像入出力装置１は、所定の画像データを取得するためのコマンド等の各種情報を、情報処理装置２に適宜出力することもでき
【００３２】
  詳細には、
画像入出力装置１は、表示画像生成部１１乃至コマンド認識／発行部１７を含むように構成され
【００３３】
  
表示画像生成部１１は、表示部１３において動画像や静止画像を表示するための画像データを生成し、表示制御部１２に提供
【００３４】
  また、表示画像生成部１１は、必要に応じて、情報処理装置２と各種情報の授受を行う。なお、授受される情報の具体例については、後述する。
【００３５】
  表示画像生成部１１は、表示部１３において動画像や静止画像を表示するための画像データを生成し、表示制御部１２に提供する。
表示部１３は、表示制御部１２からの画像データを、認識可能な画像として画面に表示
【００３６】
  
受光部１４は、複数の受光素子がマトリクス状に配置されて構成され
複数の受光素子のそれぞれからは、受光量に基づく信号（以下、受光信号と称する）が出力され、受光画像生成部１５にそれぞれ提供され
【００３７】
  
受光部１４は、例えば、表示部１３と同一平面上又は重ね合わさられて配置され
受光部１４は、表示部１３が画像を表示している最中にその表示部１３に対して入射された光を、受光することにな
【００３８】
  換言すると、
操作者は、表示部１３に表示された画像を観察しつつ、光による指示を表示部１３に対して行うことができ
このとき、その光が受光部１４の各受光素子に入射され、その指示に応じたレベルをそれぞれ有する受光信号が各受光素子から出力され
【００３９】
  
受光画像生成部１５は、受光部１４の複数の受光素子のそれぞれから出力された各受光信号に基づいて、１枚の静止画像の画像データ（以下、受光画像データと称し、それに対応する静止画像を受光画像と称する）を生成し、オブジェクト検出部１６に提供
より正確には、受光部１４の各受光素子からの受光信号は順次出力されてくるので、受光画像生成部１５においては、複数の受光画像データが連続的に生成され、生成された順番で１枚ずつオブジェクト検出部１６に順次提供
即ち、受光画像生成部１５は、１つの受光画像を例えばフィールドまたはフレームとして、複数のフィールドまたはフレームから構成される動画像のストリームデータを生成して、オブジェクト検出部１６に提供
【００４０】
  
オブジェクト検出部１６は、受光画像生成部１５からの受光画像データからオブジェクトを１以上検出
【００４１】
  
ここに、オブジェクトとは、受光画像内の領域であって、所定の規則に従って形成される一領域をい
例えば、受光画像が複数の画素から構成されているとすると、所定の規則に従って連結される１以上の画素の集合体（以下、連結要素と称する）が、オブジェクト
【００４２】
  
オブジェクト検出部１６は、さらに、各オブジェクトに関する各種情報（以下、これらの各種情報をまとめてオブジェクト情報と称する）をそれぞれ生成
【００４３】
  
オブジェクト検出部１６により生成された各オブジェクト情報は、コマンド認識／発行部１７に提供され
【００４４】
  なお、オブジェクト情報の生成機能は、オブジェクト検出部１６が有する必要は特に無く、後述するコマンド認識／発行部１７に委譲してもよい。この場合、オブジェクト検出部１６が、オブジェクトを検出し、その検出結果をコマンド認識／発行部１７に提供する。そして、コマンド認識／発行部１７が、その検出結果に基づいて、オブジェクト情報を生成することになる。
【００４５】
  いずれにしても、
コマンド認識／発行部１７は、各オブジェクト情報に基づいて、表示部１３に対して操作者が与えた「光による指示」とは如何なるコマンドであったのかを認識し、即ち、操作者が画像入出力装置１に対して与えたコマンドを認識し、そのコマンドを表示画像生成部１１に発行する
　
ｃ）「【００５２】
  図２の例の
コマンド認識／発行部１７は、検出結果保持部２１乃至コマンド発行部２７を含むように構成され
【００５３】
  
オブジェクト検出部１６から出力された各オブジェクト情報は、検出結果保持部２１、時間位置変化型コマンド認識部２２、位置関係型コマンド認識部２３、形状型コマンド認識部２４、および複合型コマンド認識部２５のそれぞれに提供され
　
ｄ）「【００７０】
  次に、時間位置変化型コマンドについて説明する。
【００７１】
  １つの時間位置関係型コマンドに対して、オブジェクトの所定の時間位置変化が対応付けられており、この対応関係が条件として、コマンド定義保持部２６に保持されている。そこで、
時間位置変化型コマンド認識部２２は、オブジェクト検出部１６から提供されたオブジェクト情報のうちのオブジェクトの座標位置を取得し、また、検出結果保持部２１に保持されている同一オブジェクトの過去の座標位置を１以上取得し、それらの座標位置の時間位置変化を認識し、その変化と、コマンド定義保持部２６に保持されている各種条件とを比較
そして、その変化と合致する条件がコマンド定義保持部２６に保持されている場合には、時間位置変化型コマンド認識部２２は、その条件により特定される時間位置変化型コマンド、即ち、その時間位置変化に対応付けられた時間位置変化型コマンドが、操作者により指示されたコマンドであると認識し、その認識結果をコマンド発行部２７に通知する
【００７２】
  なお、オブジェクトの座標位置は、位置関係型コマンド認識部２３で利用される情報と基本的に同様のものを採用できる。
【００７３】
  また、オブジェクト検出部１６から提供されるオブジェクトの座標位置とは、動画像を構成する複数の受光画像（フレームまたはフィールド）のうちの、処理対象として注目すべき受光画像（以下、注目受光画像と称する）における座標位置をいう。一方、検出結果保持部２１から提供されるオブジェクトの過去の座標位置とは、注目受光画像より過去に処理された受光画像における座標位置をいう。
【００７４】
  即ち、検出結果保持部２１においては、受光画像生成部１５により１枚の受光画像データが生成され、それからオブジェクト情報がオブジェクト検出部１６により生成される度に、このオブジェクト情報が更新されていく。これにより、時間位置変化型コマンド認識部２２においては、注目受光画像におけるオブジェクトの座標位置（最新のデータ）と、例えば注目受光画像の１つ前の受光画像における同一オブジェクトの座標位置（１つ前のデータ）との比較が可能になる。もちろん、
検出結果保持部２１は、１つ前の状態のみを残しておくだけでなく、複数枚の過去の受光画像データ毎のオブジェクト情報をそれぞれ保持しておくこともでき、この場合には、過去一定時間との間での比較も可能にな
【００７５】
  
また、時間位置変化型コマンド認識部２２が認識するオブジェクトの時間位置変化は、時間的変化を表現可能な情報であれば特に限定されず、オブジェクトの移動方向、移動量、それらを組み合わせた移動ベクトル、移動速度等を採用できる
　
　してみると、引用例１には以下の発明（以下「引用例１記載の発明」という。）が記載されている。
　
　「情報処理システムは、画像入出力装置１と、情報処理装置２とから構成され、
　画像入出力装置１は、自身が生成した画像データや、情報処理装置２から入力された画像データを、操作者に認識可能な画像として表示することができ、また、画像入出力装置１は、所定の画像データを取得するためのコマンド等の各種情報を、情報処理装置２に適宜出力することもでき、
　画像入出力装置１は、表示画像生成部１１乃至コマンド認識／発行部１７を含むように構成され、
　表示画像生成部１１は、表示部１３において動画像や静止画像を表示するための画像データを生成し、表示制御部１２に提供し、
　表示部１３は、表示制御部１２からの画像データを、認識可能な画像として画面に表示し、
　受光部１４は、複数の受光素子がマトリクス状に配置されて構成され、複数の受光素子のそれぞれからは、受光量に基づく信号（以下、受光信号と称する）が出力され、受光画像生成部１５にそれぞれ提供され、
　受光部１４は、例えば、表示部１３と同一平面上又は重ね合わさられて配置されており、
　受光部１４は、表示部１３が画像を表示している最中にその表示部１３に対して入射された光を、受光することになり、
　操作者は、表示部１３に表示された画像を観察しつつ、光による指示を表示部１３に対して行うことができ、このとき、その光が受光部１４の各受光素子に入射され、その指示に応じたレベルをそれぞれ有する受光信号が各受光素子から出力され、
　受光画像生成部１５は、受光部１４の複数の受光素子のそれぞれから出力された各受光信号に基づいて、１枚の静止画像の画像データ（以下、受光画像データと称し、それに対応する静止画像を受光画像と称する）を生成し、オブジェクト検出部１６に提供し、
　より正確には、受光部１４の各受光素子からの受光信号は順次出力されてくるので、受光画像生成部１５においては、複数の受光画像データが連続的に生成され、生成された順番で１枚ずつオブジェクト検出部１６に順次提供し、即ち、受光画像生成部１５は、１つの受光画像を例えばフィールドまたはフレームとして、複数のフィールドまたはフレームから構成される動画像のストリームデータを生成して、オブジェクト検出部１６に提供し、
　オブジェクト検出部１６は、受光画像生成部１５からの受光画像データからオブジェクトを１以上検出し、
　ここに、オブジェクトとは、受光画像内の領域であって、所定の規則に従って形成される一領域をいい、例えば、受光画像が複数の画素から構成されているとすると、所定の規則に従って連結される１以上の画素の集合体（以下、連結要素と称する）が、オブジェクトであり、
　オブジェクト検出部１６は、さらに、各オブジェクトに関する各種情報（以下、これらの各種情報をまとめてオブジェクト情報と称する）をそれぞれ生成し、
　オブジェクト検出部１６により生成された各オブジェクト情報は、コマンド認識／発行部１７に提供され、
　コマンド認識／発行部１７は、各オブジェクト情報に基づいて、表示部１３に対して操作者が与えた「光による指示」とは如何なるコマンドであったのかを認識し、即ち、操作者が画像入出力装置１に対して与えたコマンドを認識し、そのコマンドを表示画像生成部１１に発行するものであり、
　コマンド認識／発行部１７は、検出結果保持部２１乃至コマンド発行部２７を含むように構成され、
　オブジェクト検出部１６から出力された各オブジェクト情報は、検出結果保持部２１、時間位置変化型コマンド認識部２２、位置関係型コマンド認識部２３、形状型コマンド認識部２４、および複合型コマンド認識部２５のそれぞれに提供され、
　時間位置変化型コマンド認識部２２は、オブジェクト検出部１６から提供されたオブジェクト情報のうちのオブジェクトの座標位置を取得し、また、検出結果保持部２１に保持されている同一オブジェクトの過去の座標位置を１以上取得し、それらの座標位置の時間位置変化を認識し、その変化と、コマンド定義保持部２６に保持されている各種条件とを比較し、そして、その変化と合致する条件がコマンド定義保持部２６に保持されている場合には、時間位置変化型コマンド認識部２２は、その条件により特定される時間位置変化型コマンド、即ち、その時間位置変化に対応付けられた時間位置変化型コマンドが、操作者により指示されたコマンドであると認識し、その認識結果をコマンド発行部２７に通知するものであり、
　検出結果保持部２１は、１つ前の状態のみを残しておくだけでなく、複数枚の過去の受光画像データ毎のオブジェクト情報をそれぞれ保持しておくこともでき、この場合には、過去一定時間との間での比較も可能になり、
　また、時間位置変化型コマンド認識部２２が認識するオブジェクトの時間位置変化は、時間的変化を表現可能な情報であれば特に限定されず、オブジェクトの移動方向、移動量、それらを組み合わせた移動ベクトル、移動速度等を採用できる、
　情報処理システム。」
　
　引用例２（特開２００６−３１５４９号公報）には、図面とともに以下の事項が記載されている。
　
ｅ）「【００１４】
  図１は、本実施形態に係る座標入力装置の概略構成を示す図である。図中１Ｌ、１Ｒ、１ＣＬ、１ＣＲは、投光ユニットおよび検出ユニットを含むセンサユニットであり、それぞれ所定の距離だけ離されて設置されている。センサユニット１Ｌ、１Ｒ、１ＣＬ、１ＣＲは、制御・演算を行なう制御・演算ユニット２に接続されている。センサユニット１Ｌ、１Ｒ、１ＣＬ、１ＣＲは、制御・演算ユニット２から制御信号を受信すると共に、検出した信号を制御・演算ユニット２に送信する。受光ＩＣ５は、指示具の一例である発光ペン６から指示具の識別情報等を受信する受信回路である。インタフェース７は、本座標入力装置を外部にあるホスト（描画処理装置としてのパーソナルコンピュータ）と接続して通信を行なう通信回路と通信ケーブルである。通信回路の部分は制御・演算ユニット２に内蔵してもよい。
【００１５】
  図２は、本実施形態に係る反射ユニットの再帰反射特性を説明する図である。反射ユニット３は、再帰反射面有する再帰反射部材を含んでいる。図２に示すように投光ユニットからの入力パネルに沿って投光された光は、この再帰反射面によって到来方向へと反射される。このようにして反射ユニット３は、それぞれのセンサユニット１Ｌ、１Ｒ、１ＣＬ、１ＣＲから略９０°の範囲に投光された光を、それぞれ対応するセンサユニット１Ｌ、１Ｒ、１ＣＬ、１ＣＲに向けて再帰反射する。入力領域を最大限に確保するためには、入力パネルの周縁に反射ユニット３を配設することが望ましい。
【００１６】
  反射された光は、センサユニット１Ｌ、１Ｒ、１ＣＬ、１ＣＲにそれぞれ含まれる検出ユニットによって検出される。各検出ユニットは、結像光学系と光検知素子（たとえばラインＣＣＤなど）等によって構成されている。検出ユニットによって１次元的に検出された反射光は、光量分布のデータとして制御・演算ユニット２に送信される。
【００１７】
  ４は入力領域を構成するパネルである。当該パネルを、ＰＤＰ、リアプロジェクタ、またはＬＣＤパネルなどの表示装置の表示画面で構成すれば、インタラクティブな入力装置を提供できよう。
【００１８】
  このような構成において、入力領域に対して、指や指示具などを用いて座標位置が指示されると、上記投光ユニットから投光された光が指示具等により遮られるので、検出ユニットでは、遮られた部分からの反射光が得られなくなる。すなわち、反射光量分布のうち、入力座標位置に対応する角度のみ、光量が相対的に落ち込むことになる。この角度の方向に入力座標位置が存在することになる。
【００１９】
  この原理に従い、制御演算ユニット２は、複数のセンサユニットのそれぞれからの反射光量分布のうち光量レベルが相対的に落ち込んだ部分を入力座標位置として決定する。制御・演算ユニット２は、たとえば、入力指示された部分の遮光範囲を検出し、遮光範囲内での検出点を特定することで、検出点の角度を算出する。検出点は、たとえば、遮光範囲の中央を選択すればよいだろう。そして、制御・演算ユニット２は、算出された角度および、センサユニット間の距離データ等から、入力領域における座標位置を算出する。制御・演算ユニット２は、表示装置に接続されているＰＣなどに、ＵＳＢなどのインタフェース７を経由して座標値のデータを出力する。
【００２０】
  なお、指などの指示手段ではなく、ペンダウン検出スイッチを有するような専用の入力指示具を用いると、尾引きなどのない座標入力や描画を行なうことができる。発光ペン６は、専用指示具の一例であり、ペン先スイッチあるいはペンサイドに設けられたスイッチが押下されると、ペン６に内蔵された赤外ＬＥＤが発光して、スイッチ情報や自身のＩＤ情報などを送信する。送信された光信号は、集光光学系を有する受信ユニットである受光ＩＣ５によって検出される。受光ＩＣ５によって検出された信号は、制御・演算ユニット２に送信される。
制御・演算ユニット２は、受信したペンダウンなどの情報や指示具の識別情報（ＰＩＤ）に加え、入力の連続性を表す識別情報（ＣＩＤ）などを判別し、座標値のデータとともに出力する
　
ｆ）「【００９９】
  ［他の実施形態］
  上述の実施形態によれば、指示具がペンダウンした後ペンアップし、さらに近接入力領域からも逸脱したとしても、再びペンダウンしたときには同一のＰＩＤが維持されるものであった。なぜなら、指示具からは固有の識別情報が送信されるからである。しかしながら、近接入力領域から逸脱してしまうと、座標入力の連続性は途絶えるので、ＣＩＤはクリアされてしまう。すなわち、座標入力の連続性を表すＣＩＤに関しては未使用のＩＤが使用される。
【０１００】
  たとえば、ホワイトボードなどでは、複数人が同時並行して入力を行なうが、夫々左右に分かれて座標入力（描画）する場合が多い。このような状況では、ある座標位置において近接入力が終了し、再びその近傍に座標入力された場合、両者は同一のユーザによる座標入力である可能性が高いと推察される。このような使用形態を鑑みて、入力領域ごとにＣＩＤのデフォルト値をＲＯＭ２６に記憶しておき、当該入力領域に含まれる座標データには、対応するデフォルトのＣＩＤを付与するようにしてもよい。
【０１０１】
  たとえば、図２１に示したようにＡ，Ｂ，Ｃの各領域に入力領域を分割する場合には、ＣＩＤ０，１，２のようにデフォルト値を記憶しておき、座標データが属する領域のデフォルトＣＩＤを付与する。これにより、たとえば、近接入力時の連続性を利用しているようなアプリケーションに対しても、ＣＩＤの継続性が維持されるので好適である。また、指示具を用いない座標入力に対しても連続性を持たせることができる。
【０１０２】
  図２４は、本実施形態に係る動的な領域分割の一例を示す図である。上述の実施形態では入力用域を固定的に分割していたが、図２４に示すＰ１とＰ２のように、同時並行して複数の座標入力が実行されると、ＣＰＵ２１は、その中間点を算出し、そこからたとえば２領域ＡＢに分割してもよい。たとえば、Ｐ１，Ｐ２がペンアップされた後に、再びペンダウンされたときも入力順番に依存することなく、Ｐ２と同一の領域に属するＰ４にはＣＩＤ＝２が付与し、Ｐ１と同一の領域に属するＰ３にはＣＩＤ＝１を付与する。
【０１０３】
  あるいは、上記Ａ，Ｂのような大きな領域に分けることなく、図中のＰ５の周りに破線で示したように、前回の近接入力ＯＵＴの点から所定の距離内に再び座標入力が行なわれたときは、同一のＩＤを付与するようにしてもよい。このような構成であれば、所定距離以内の近接領域への座標入力に対しては、同一のＩＤを付与することができるので、使い勝手の向上につながろう。このようなＯＵＴ点からの所定距離の範囲は、ＯＵＴ時点から一定時間経過後に記憶から削除してもよい。
【０１０４】
  上述実施形態においては、座標入力が連続しているときの座標データの連続性判別は、前回検出された座標データと今回検出された座標データ間の距離に応じて判別していた。上述したように複数人が同時に入力を行なうときは、それぞれ離れた位置に座標入力がなされるので問題は無いが、両者が接近して入力を行なう場合には、連続性の判定を間違え、ＩＤがすりかわってしまうおそれがある。
【０１０５】
  図２５は、
複数の座標入力が並行して、かつ、近接して入力される場合
前回の座標データからつぎの入力領域をＣＰＵ２１が予測し、予測された領域内に座標入力された座標データを連続性があるものと認識する
たとえば、前回算出された座標データから接線ベクトルを算出することで予測領域を求める
【０１０６】
  図２６は、本実施形態に係る座標入力の予測領域を説明するための図である。この例では、点Ｐ０での接線ベクトルＶ０、点Ｐ１での接線ベクトルＶ１から、次の座標データの取り得る方向が図中破線でしめしたように予測可能となる。すなわち算出された接線ベクトルの方向に対して、ある角度内を予測領域とする。この予測領域の範囲内に含まれる座標データを連続性があると判定する。
【０１０７】
  接線ベクトルに相当する情報としては、たとえば、通常のサンプリング周期によりサンプリングされた座標値と、通常のサンプリング周期に比べ短い時間でサンプリングした座標値との差分を用いることができる。たとえば、通常のサンプリング周期を１０［ｍｓｅｃ］とすると、ある座標データをサンプルした後、１［ｍｓｅｃ］経過すると、もう一度座標データをサンプルし、この両者の差分をそれぞれ計算する。このときの時間差と移動量を接線ベクトル情報とすることができよう。
【０１０８】
  以上説明したように、直前に入力された１以上の入力座標位置から次の描画領域を予測し、さらに、予測された描画領域に含まれる入力座標位置を入力の連続性があると判別するようにすることで、座標入力の連続性を好適に判別できるようになる。」（【００９９】〜【０１０８】の記載。）
　
　原査定で提示された、本願の優先日前に頒布された、特開２００９−４５１１２号公報（以下、「周知例１」という。）には、図面とともに以下の事項が記載されている。
　
ｇ）「【請求項４】
  前記検出手段によって近接されていると判定された前記
コントローラからの入力のタイミングを検知するタイミング検知手段とをさらに具備
  前記ゲーム制御手段は、
  前記タイミング検知手段によって予め決められた一定時間内に入力があった前記コントローラの数に応じてゲーム処理を実行することを特徴とする請求項１乃至３の何れかに記載のゲーム機。」（【請求項４】の記載。）
　
　原査定で提示された、本願の優先日前に頒布された、特開２００５−１８５７４０号公報（以下、「周知例２」という。）には、図面とともに以下の事項が記載されている。
　
ｈ）「【００２９】
  また、上述した
操作手段が複数備わっている場合には、位置・方向算出手段が所定のタイミング毎（例えば、０．０２秒毎など）に複数の操作手段のうち何れか一を選択して当該選択された操作手段を識別するための識別信号を送出するようにし、複数の操作手段のそれぞれに備わった被検出波制御手段は、位置・方向算出手段から送出される識別信号に基づいて、自己の操作手段が選択されているときに被検出波を出力する制御を行う
【００３０】
  これにより、複数の操作手段を用いる場合にも、
位置及び方向の算出対象とする一の操作手段を所定のタイミング毎に確実に特定する
　
（２）対比
　本願発明７と引用例１記載の発明とを対比する。 
　
ア．引用例１記載の発明の「情報処理システム」は「画像入力装置１」を有し、「画像入力装置１」は「表示部１３」、「受光部１４」を有し、「表示部１３」は「表示制御部１２からの画像データを、認識可能な画像として画面に表示」し、「受光部１４」は「複数の受光素子がマトリクス状に配置されて構成され、複数の受光素子のそれぞれからは、受光量に基づく信号（以下、受光信号と称する）が出力され」、「受光部１４」は「表示部１３が画像を表示している最中にその表示部１３に対して入射された光を、受光する」ものであるから、引用例１記載の発明の「表示部１３」は本願発明７の「ディスプレイ」に、引用例１記載の発明の「受光部１４」は本願発明７の「内蔵センサ」にそれぞれ相当し、引用例１記載の発明の「情報処理システム」は本願発明７の「内蔵センサを有するディスプレイ領域への複数の光入力を識別するシステム」に相当するといえる。
　また、引用例１記載の発明の「受光部１４」は「表示部１３と同一平面上又は重ね合わさられて配置され」たものであるから、引用例１記載の発明の「表示部１３」は本願発明７の「視覚情報を表示する、画素内に内蔵センサを有するディスプレイ領域」に相当する構成を有するといえる。
　
イ．引用例１記載の発明は「操作者は、表示部１３に表示された画像を観察しつつ、光による指示を表示部１３に対して行うことができ、このとき、その光が受光部１４の各受光素子に入射され、その指示に応じたレベルをそれぞれ有する受光信号が各受光素子から出力され、
　受光画像生成部１５は、受光部１４の複数の受光素子のそれぞれから出力された各受光信号に基づいて、１枚の静止画像の画像データ（以下、受光画像データと称し、それに対応する静止画像を受光画像と称する）を生成し、オブジェクト検出部１６に提供し」、
「オブジェクト検出部１６は、受光画像生成部１５からの受光画像データからオブジェクトを１以上検出し」、「オブジェクト検出部１６は、さらに、各オブジェクトに関する各種情報（以下、これらの各種情報をまとめてオブジェクト情報と称する）をそれぞれ生成し」、
「オブジェクト検出部１６により生成された各オブジェクト情報は、コマンド認識／発行部１７に提供され」るものである。
　そして、引用例１記載の発明の「オブジェクト検出部１６」は「オブジェクトを１以上検出」するものであり、また、引用例１に「前記オブジェクト検出部は、第１の物体が前記表示面に接触又は近接した状態で第２の物体が前記表示面に接触または近接したときに（例えば図９の状態から図１０の状態に遷移したときに）前記受光画像生成部により生成された前記画像データから、前記第１の物体に対応する第１のオブジェクトと、前記第２の物体に対応する第２のオブジェクトを検出」（摘記事項ａ）の【００２３】）と記載されていることを考慮すれば、「受光部１４」に２つの「光による指示」の光が入射することがあるのは明らかであり、引用例１記載の発明の「受光部１４」は本願発明７の「前記ディスプレイ領域上の第１の位置及び第２の位置へそれぞれ光学的に送信された第１の入力及び第２の入力を受信する入力検出部」に相当するともいえる。
　
ウ．引用例１記載の発明は「オブジェクト検出部１６により生成された各オブジェクト情報は、コマンド認識／発行部１７に提供」され、「コマンド認識／発行部１７は、検出結果保持部２１乃至コマンド発行部２７を含」み、「オブジェクト検出部１６から出力された各オブジェクト情報は、検出結果保持部２１、時間位置変化型コマンド認識部２２」「のそれぞれに提供され、」「時間位置変化型コマンド認識部２２は、オブジェクト検出部１６から提供されたオブジェクト情報のうちのオブジェクトの座標位置を取得し、また、検出結果保持部２１に保持されている同一オブジェクトの過去の座標位置を１以上取得し、それらの座標位置の時間位置変化を認識し、その変化と、コマンド定義保持部２６に保持されている各種条件とを比較し、そして、その変化と合致する条件がコマンド定義保持部２６に保持されている場合には、時間位置変化型コマンド認識部２２は、その条件により特定される時間位置変化型コマンド、即ち、その時間位置変化に対応付けられた時間位置変化型コマンドが、操作者により指示されたコマンドであると認識し、その認識結果をコマンド発行部２７に通知するもの」であり、「検出結果保持部２１は、１つ前の状態のみを残しておくだけでなく、複数枚の過去の受光画像データ毎のオブジェクト情報をそれぞれ保持しておくこともでき、この場合には、過去一定時間との間での比較も可能になり、また、時間位置変化型コマンド認識部２２が認識するオブジェクトの時間位置変化は、」「移動ベクトル」「を採用できる」ものである。
　また、引用例１記載の発明の「情報処理システム」が上記認識などの処理をプロセッサにより行うことは、自明のことといえる。
　したがって、引用例１記載の発明の「コマンド認識／発行部１７」において「各オブジェクト情報は、検出結果保持部２１、時間位置変化型コマンド認識部２２」「のそれぞれに提供され」ること、「時間位置変化型コマンド認識部２２は、オブジェクト検出部１６から提供されたオブジェクト情報のうちのオブジェクトの座標位置を取得し、また、検出結果保持部２１に保持されている同一オブジェクトの過去の座標位置を」複数「取得し、それらの座標位置の時間位置変化を認識し」、「時間位置変化」として「移動ベクトル」を採用することは、
　本願発明７の「プロセッサ、
　を有し、
　当該プロセッサは、
　前記第１の入力及び前記第２の入力のタイミングを識別し、
　（１）前記第１の入力及び前記第２の入力の波長、（２）該第１の入力及び該第２の入力のフラッシュ又はパルス周波数、（３）該第１の入力及び該第２の入力の継続期間、（４）該第１の入力及び該第２の入力のタイミング、（５）該第１の入力及び該第２の入力の強度、（６）該第１の入力及び該第２の入力に関連付けられた変調方式、（７）該第１の入力及び該第２の入力の推定入力パターン、（８）該第１の入力及び該第２の入力の少なくとも一方の少なくとも１つの予測軌跡、のうちの少なくとも１つに基づき、該第１の入力及び該第２の入力が単一の発信元から又は複数の発信元から生じたのかを決定し、及び
　対応する入力のタイミングをそれぞれ有する第１の入力情報及び第２の入力情報を提供し、
　前記第１の入力及び前記第２の入力が単一の発信元から又は複数の発信元から生じたのかを決定することは、
　第１の発信元から、時間的に前記第１の入力に先行する複数の過去の入力を受信し、
　前記複数の過去の入力に基づき、第１の入力軌跡を計算し、及び
　該第１の入力軌跡に基づき、前記第１の入力又は前記第２の入力が前記第１の発信元から生じたかを決定する」ことと、
「プロセッサ、
　を有し、
　当該プロセッサは、
　該第１の入力及び該第２の入力の少なくとも一方の少なくとも１つの予測軌跡を決定し、及び
　対応する入力の第１の入力情報及び第２の入力情報を提供し、
　前記決定することは、
　第１の発信元から、時間的に前記第１の入力に先行する複数の過去の入力を受信し、
　前記複数の過去の入力に基づき、第１の入力軌跡を計算する」点で一致するといえる。
　
　したがって、両者は以下の一致点と相違点とを有する。 
　
＜一致点＞
　「内蔵センサを有するディスプレイ領域への複数の光入力を識別するシステムであって、
　視覚情報を表示する、画素内に内蔵センサを有するディスプレイ領域、
　前記ディスプレイ領域上の第１の位置及び第２の位置へそれぞれ光学的に送信された第１の入力及び第２の入力を受信する入力検出部、及び
　プロセッサ、
　を有し、
　当該プロセッサは、
　該第１の入力及び該第２の入力の少なくとも一方の少なくとも１つの予測軌跡を決定し、及び
　対応する入力の第１の入力情報及び第２の入力情報を提供し、
　前記決定することは、
　第１の発信元から、時間的に前記第１の入力に先行する複数の過去の入力を受信し、
　前記複数の過去の入力に基づき、第１の入力軌跡を計算する、
　ことを有する、ことを特徴とするシステム。」
　
＜相違点１＞
　本願発明１は、「当該プロセッサは、
　前記第１の入力及び前記第２の入力のタイミングを識別し、
　（１）前記第１の入力及び前記第２の入力の波長、（２）該第１の入力及び該第２の入力のフラッシュ又はパルス周波数、（３）該第１の入力及び該第２の入力の継続期間、（４）該第１の入力及び該第２の入力のタイミング、（５）該第１の入力及び該第２の入力の強度、（６）該第１の入力及び該第２の入力に関連付けられた変調方式、（７）該第１の入力及び該第２の入力の推定入力パターン、（８）該第１の入力及び該第２の入力の少なくとも一方の少なくとも１つの予測軌跡、のうちの少なくとも１つに基づき、該第１の入力及び該第２の入力が単一の発信元から又は複数の発信元から生じたのかを決定し、及び
　対応する入力のタイミングをそれぞれ有する第１の入力情報及び第２の入力情報を提供し、
　前記第１の入力及び前記第２の入力が単一の発信元から又は複数の発信元から生じたのかを決定することは、
　第１の発信元から、時間的に前記第１の入力に先行する複数の過去の入力を受信し、
　前記複数の過去の入力に基づき、第１の入力軌跡を計算し、及び
　該第１の入力軌跡に基づき、前記第１の入力又は前記第２の入力が前記第１の発信元から生じたかを決定する」ものであるのに対し、
　引用例１記載の発明は、「コマンド認識／発行部１７」において、本願発明７の「第１の入力情報及び第２の入力情報」に対応する「各オブジェクト情報」は、「検出結果保持部２１、時間位置変化型コマンド認識部２２」のそれぞれに提供され、
　また、「時間位置変化型コマンド認識部２２は、オブジェクト検出部１６から提供されたオブジェクト情報のうちのオブジェクトの座標位置を取得し、また、検出結果保持部２１に保持されている同一オブジェクトの過去の座標位置を」複数「取得し、それらの座標位置の時間位置変化を認識し」、「時間位置変化」として「移動ベクトル」を採用するものであるが、
「第１の入力及び第２の入力のタイミングを識別」するものでも、「予測軌跡」等に基づき「該第１の入力及び該第２の入力が単一の発信元から又は複数の発信元から生じたのかを決定」するものでも、「入力情報」が「入力のタイミング」を有するものでも、「第１の発信元」の「複数の過去に入力に基づき、第１の入力軌跡を計算」し該「第１の入力軌跡に基づき」「第１の入力」又は「第２の入力」が「第１の発信元」から生じたかを決定するものでもない点。
　
（３）判断
＜相違点１についての判断＞
　引用例２には、「制御・演算ユニット２は、受信したペンダウンなどの情報や指示具の識別情報（ＰＩＤ）に加え、入力の連続性を表す識別情報（ＣＩＤ）などを判別し、座標値のデータとともに出力」（摘記事項ｅ）の【００２０】の記載。）と記載されるように、入力の連続性（入力軌跡）等の識別情報により入力を識別する技術、また、「複数の座標入力が並行して、かつ、近接して入力される場合」、「前回の座標データからつぎの入力領域をＣＰＵ２１が予測し、予測された領域内に座標入力された座標データを連続性があるものと認識」、「たとえば、前回算出された座標データから接線ベクトルを算出することで予測領域を求め」、「この予測領域の範囲内に含まれる座標データを連続性があると判定する」（摘記事項ｆ）の【０１０５】〜【０１０６】の記載。）と記載されるように、過去の入力に基づき入力軌跡を計算し、該入力軌跡に基づき現入力の入力元を決定する技術が記載されている。
　また、周知例１、周知例２に記載されるように、入力のタイミングを検出して処理すること、すなわち、入力情報がタイミングを有すること、入力のタイミングを識別することは、本願の優先日前において周知技術である。
　しかしながら、引用例２及び周知例１，２には何れにも、「第１の入力」及び「第２の入力」が「単一の発信元から又は複数の発信元から生じたのかを決定」することは、記載されていない。
　したがって、引用例２に記載された技術及び上記周知技術の存在をもって、引用例１記載の発明において、「単一の発信元から又は複数の発信元から生じたのかを決定」する相違点１に係る本願発明７の構成を採用することが容易であったということはできない。
　
　よって、本願発明７は、引用例１記載の発明及び引用例２に記載された技術または上記周知技術に基づいて、当業者が容易に発明をすることができたとはいえない。
　
２．本願発明８〜１３について
　本願発明８〜１３は本願発明７に従属するものであるから、上記「１．本願発明７について」にて述べたのと同様の理由により、本願発明８〜１３は、引用例１記載の発明及び引用例２に記載された技術または上記周知技術に基づいて、当業者が容易に発明をすることができたとはいえない。
　
３．本願発明１〜６について
　本願発明１は本願発明７を方法の発明として記載したものであり、本願発明２〜６は本願発明１に従属するものであるから、上記「１．本願発明７について」にて述べたのと同様の理由により、本願発明１〜６は、引用例１記載の発明及び引用例２に記載された技術または上記周知技術に基づいて、当業者が容易に発明をすることができたとはいえない。
　
第５　むすび
　以上のとおり、本願発明１〜１３は、引用例１記載の発明及び引用例２に記載された技術または上記周知技術に基づいて、当業者が容易に発明をすることができたものとすることができないから、原査定の理由によっては、本願を拒絶することはできない。
　また、他に本願を拒絶するべき理由を発見しない。
　よって、結論のとおり審決する。